(57)【特許請求の範囲】
【請求項１】
テレビカメラ出力信号に、該テレビカメラ出力信号から抽出した輪郭強調信号を付加してビューファインダに供給することで、ビューファインダの映像の輪郭を強調するようにしたテレビカメラ装置において、
前記輪郭強調信号を２系統に分配する分配回路と、
前記分配された一方の信号に対して、前記輪郭強調信号のレベルを識別する第１の所定のレベルより低いレベルの信号をクリップする第１のクリップ回路と、
前記分配された他方の系統の信号に対して、前記第１の所定のレベルよりも低く、前記輪郭強調信号のレベルを識別する第２の所定レベルより高いレベルの信号をクリップする第２のクリップ回路と、
前記第１のクリップ回路と前記第２のクリップ回路の出力を合成する合成回路とを有し、
前記カメラ信号に該合成回路の出力を付加した信号を、前記ビューファインダへ供給することを特徴とするテレビカメラ装置。
【請求項２】
テレビカメラ出力信号に、該テレビカメラ出力信号から抽出した輪郭強調信号を付加してビューファインダに供給することで、ビューファインダの映像の輪郭を強調するようにしたテレビカメラ装置において、
前記輪郭強調信号に一定値を乗算する乗算回路と、
前記輪郭強調信号から所定値を減算する減算回路と、
前記輪郭強調信号が所定レベルに達したか否かを検出するレベル検出回路と、
該レベル検出回路の入力が前記所定レベル未満のときには、前記乗算回路の出力を該レベル検出回路の出力により切り換え、前記レベル検出回路の入力が前記所定レベル以上のときには、前記減算回路の出力を該レベル検出回路の出力により切り換える切換回路と、
前記カメラ信号に該切換回路の出力を付加した信号を、前記ビューファインダに供給することを特徴とするテレビカメラ装置。
【発明の詳細な説明】
【０００１】
【発明の属する技術分野】
本発明は、テレビカメラ装置に係り、特に、カメラマンのフォーカス合わせを容易にしたテレビカメラ装置に関する。
【０００２】
【従来の技術】
放送など業務用テレビカメラにおいて、従来の標準テレビカメラ（ＳＤＴＶ）では、映像帯域よりビューファインダの解像度の方が高く比較的フォーカスが合わせやすかった。しかし、ハイビジョンテレビカメラ（ＨＤＴＶ）だと、現時点ではビューファインダの解像度が映像帯域を超えるほど性能は上がっていない（ＨＤＴＶの解像度は３０インチを超えるモニタで見た場合を考慮しているが、ビューファインダは２インチとか７インチでしかなく、解像度が取れない）。そこで、特に、ＨＤＴＶにおいては、ビューファインダで現状以上にフォーカスを合わせやすくする必要がでてきた。
【０００３】
一方、テレビカメラによる撮影において、カメラマンは、ビューファインダの映像を監視しながらレンズの焦点距離を調整することにより被写体映像のフォーカス合わせをしている。また、このフォーカス合わせをより行いやすくするために、ビューファインダ映像に専用の輪郭強調を行う方法が採られている。
【０００４】
従来のビューファインダ映像の輪郭強調について説明する。図１は、テレビカメラによる撮影を概念的に示している。図１において、被写体は物体Ａ、物体Ｂのみからなり、物体Ａと物体Ｂとでは、テレビカメラＣからの距離に差があるものとする。以下では、物体Ａ、物体Ｂのうち特に物体Ａによりフォーカスが合っているものする。
【０００５】
図２（ａ）および（ｂ）は、それぞれカメラ出力信号および輪郭強調されたカメラ出力信号を示している。上記のように、物体Ａ、物体Ｂのうち特に物体Ａによりフォーカスが合っているから、カメラ出力信号における物体Ａの立ち上がり、立ち下がりは物体Ｂのそれに比して鋭くなっている（図２（ａ）参照）。従って、輪郭強調を行った場合、物体Ａに大きなエッジが付き、物体Ｂには大きなエッジは付かない（図２（ｂ）参照）。
【０００６】
このように、フォーカスが合っているものとそうでないものとで、エッジの大きさに有意な差を生じることから、エッジを監視することで、カメラマンがフォーカス合わせをすることが容易になる。
【０００７】
【発明が解決しようとする課題】
しかしながら、上述したビューファインダ用映像の輪郭強調では、テレビカメラから複数の物体への距離の差がそれほどない場合、最もフォーカスの合っている物体と、次にフォーカスの合っている物体とではエッジにもそれほど差が生じない。このため、このような場合には、カメラマンが所望の物体に精密にフォーカス合わせをすることが困難となる。
【０００８】
本発明の目的は、テレビカメラから複数の物体への距離の差がそれほどない場合であっても、所望の物体へのフォーカス合わせを容易にするテレビカメラ装置を提供することにある。
【０００９】
【課題を解決するための手段】
上記目的を達成するために、本発明テレビカメラ装置は、テレビカメラ出力信号に、該テレビカメラ出力信号から抽出した輪郭強調信号を付加してビューファインダに供給することで、ビューファインダの映像の輪郭を強調するようにしたテレビカメラ装置において、
前記輪郭強調信号を２系統に分配する分配回路と、
前記分配された一方の信号に対して、前記輪郭強調信号のレベルを識別する第１の所定のレベルより低いレベルの信号をクリップする第１のクリップ回路と、
前記分配された他方の系統の信号に対して、前記第１の所定のレベルよりも低く、前記輪郭強調信号のレベルを識別する第２の所定レベルより高いレベルの信号をクリップする第２のクリップ回路と、
前記第１のクリップ回路と前記第２のクリップ回路の出力を合成する合成回路とを有し、
前記カメラ信号に該合成回路の出力を付加した信号を、前記ビューファインダへ供給することを特徴とするものである。
【００１０】
また、本発明テレビカメラ装置は、テレビカメラ出力信号に、該テレビカメラ出力信号から抽出した輪郭強調信号を付加してビューファインダに供給することで、ビューファインダの映像の輪郭を強調するようにしたテレビカメラ装置において、
前記輪郭強調信号に一定値を乗算する乗算回路と、
前記輪郭強調信号から所定値を減算する減算回路と、
前記輪郭強調信号が所定レベルに達したか否かを検出するレベル検出回路と、
該レベル検出回路の入力が前記所定レベル未満のときには、前記乗算回路の出力を該レベル検出回路の出力により切り換え、前記レベル検出回路の入力が前記所定レベル以上のときには、前記減算回路の出力を該レベル検出回路の出力により切り換える切換回路と、
前記カメラ信号に該切換回路の出力を付加した信号を、前記ビューファインダに供給することを特徴とするものである。
【００１１】
【発明の実施の形態】
以下に添付図面を参照し、発明の実施の形態に基づいて本発明を詳細に説明する。上述したたように、本発明は、輪郭強調信号のレベルが予め定めたレベルを越えない場合には、輪郭強調信号をビューファインダ用の映像信号に付加しないようにしたものであり、図３（ａ）および（ｂ）に、本発明テレビカメラ装置におけるカメラ出力信号および輪郭強調されたカメラ出力信号（ビューファインダに供給される映像信号）をそれぞれ示している。
【００１２】
図３（ｂ）から分かるように、物体Ｂについてはエッジが付かなくなり、従って、本発明によれば、カメラマンが誤って物体Ｂにフォーカス合わせをすることがなくなる。
【００１３】
以下に、輪郭強調信号のレベルが予め定めたレベルを越えない場合には、輪郭強調信号をビューファインダ用の映像信号に付加しないようにするための信号処理について説明する。この信号処理は、基本的に、ビューファインダ用の映像信号に付加する輪郭強調信号に不感帯を設けることで達成される。
【００１４】
図４（ａ）乃至（ｄ）は、その信号処理を示し、図４（ａ）はカメラ出力信号、図４（ｂ）は輪郭強調信号、図４（ｃ）は不感帯を考慮した輪郭強調信号、および図４（ｄ）は輪郭強調されたカメラ出力信号（ビューファインダ用の映像信号）をそれぞれ示している。
【００１５】
ここで、図４（ｃ）に示す不感帯を考慮した輪郭強調信号は、図４（ｂ）に示すように、輪郭強調信号に上、下２本の破線で挟まれた不感帯を設け、不感帯内の輪郭強調信号については、これを輪郭強調信号として扱わないようにすることで得られる。
【００１６】
以下に、輪郭強調信号に不感帯を設け、回路の出力側から図４（ｃ）に示す不感帯を考慮した輪郭強調信号を得る回路として、２つの回路例を挙げ、それぞれについて説明する。図５は、第１の回路例を示している。図５において、１は信号分割部、２は一定レベル以上クリップ部、３は一定レベル以下クリップ部、および４は信号合成部である。また、図６（ａ）乃至（ｆ）は、図５中の各部波形を示している。
【００１７】
図５に示す回路の動作について説明する。図５においては、まず、図６（ａ）に示す輪郭強調信号（図中、入力信号として示される）が信号分割部１に入力される。カメラ出力信号（一般には、映像信号）から積分回路や位相遅延回路等を用いて輪郭強調信号（ａ）を抽出する方法は周知であるので、ここでは、抽出方法についての説明はしない。信号分割部１で２分割された輪郭強調信号（ｂ）および（ｃ）は、それぞれ一定レベル以上クリップ部２と一定レベル以下クリップ部３とに入力される。
【００１８】
輪郭強調信号（ｂ）および（ｃ）は、図６（ａ）に示す信号が２分割されただけで、図６（ａ）に示す信号と何ら変わるものでないが、図６（ｂ）および（ｃ）には、不感帯のレベルを示す境界線が破線で示されている。図６（ｂ）に示す破線は図４（ｂ）の下側の破線に相当し、図６（ｃ）に示す破線は図４（ｂ）の上側の破線に相当する。
【００１９】
一定レベル以上クリップ部２と一定レベル以下クリップ部３からは、それぞれ図６（ｄ）および（ｅ）に示す信号が取り出され、信号合成回路４に入力される。そして、信号合成部４の出力側から、図４（ｃ）相当し、図６（ｆ）に示す不感帯を考慮した輪郭強調信号（図中、出力信号として示される）が取り出される。
【００２０】
図７は、輪郭強調信号に不感帯を設け、回路の出力側から図４（ｃ）に示す不感帯を考慮した輪郭強調信号を得る第２の回路例を示している。図７において、５は一定値を減算する減算器、６は一定値を乗算する乗算器、７はマルチプレクサ、および８はレベル検出部である。また、図８および図９は、図７中の各部における信号のレベルが、入力信号（ａ）のレベル変化によりどう変化するかを示している。
【００２１】
図７に示す回路の動作について説明する。図７において、入力信号は、図５の場合と同じく輪郭強調信号であるが、図７中の各部における信号レベルの基準として、これを図８に（ａ）で示す。図７中の一定値を減算する減算器５において、入力信号（ａ）から一定値を減算すると図８に（ｂ）で示す信号となる。同様に、図７中の一定値を乗算する乗算器６おいて、入力信号（ａ）に一定値を乗算すると図８に（ｃ）で示す信号となる。これら得られた信号（ｂ）および（ｃ）は、マルチプレクサ７の各切換接点に供給される。
【００２２】
一方、入力信号（ａ）はレベル検出部８にも供給され、入力信号（ａ）のレベルが予め定めた一定レベルに達したか否かを検出する。いま、この予め定めた一定レベルが、直線（ｂ）と直線（ｃ）が交差するｐのレベル（図８参照）であるとし、レベル検出部８の検出出力をマルチプレクサ７の制御入力端子に供給してマルチプレクサ７の切換接点の制御（接続の制御）を行うと、入力信号（ａ）がレベルｐを越えないうちは直線（ｃ）を、また、入力信号（ａ）がレベルｐを越えたときは直線（ｂ）をそれぞれ選択して出力することになる。
【００２３】
マルチプレクサ７の出力信号（ｄ）は、入力信号（ａ）に対して図９の入出力特性で表される信号となっている。これは、図７に示す回路に入力された輪郭強調信号（入力信号）について、そのレベルがレベルｐ以下の場合には当該回路の出力に現れず、レベルｐを越えたときはじめて輪郭強調信号として出力されることを意味している。すなわち、レベルｐ以下の輪郭強調信号は不感帯に入っていることに留意されたい。なお、レベルｐは、図４（ｂ）、図６（ｂ）および（ｃ）にそれぞれ示す破線のレベルに相当する。
【００２４】
【発明の効果】
本発明によれば、テレビカメラから複数の物体への距離の差がそれほどない場合であっても、所望の物体へのフォーカス合わせを容易にするテレビカメラ装置を実現することができる。
【００２５】
また、ハイビジョンテレビカメラのように、そのビューファインダの性能が映像帯域を超えるほど上がっていない場合にも、目的物への正確なフォーカス合わせをすることのできる本発明は、特に有用である。
【図面の簡単な説明】
【図１】  テレビカメラによる撮影を概念的に示している。
【図２】  カメラ出力信号および輪郭強調されたカメラ出力信号を示している。
【図３】  本発明テレビカメラ装置におけるカメラ出力信号および輪郭強調されたカメラ出力信号を示している。
【図４】  ビューファインダ用の映像信号に付加する輪郭強調信号に不感帯を設ける信号処理を示している。
【図５】  不感帯を考慮した輪郭強調信号を得る第１の回路例を示している。
【図６】  図５中の各部波形を示している。
【図７】  不感帯を考慮した輪郭強調信号を得る第２の回路例を示している。
【図８】  図７中の各部における信号のレベルが、入力信号のレベル変化によりどう変化するかを示している。
【図９】  図７中の各部における信号のレベルが、入力信号のレベル変化によりどう変化するかを示している。
【符号の説明】
１  信号分割部
２  一定レベル以上クリップ部
３  一定レベル以下クリップ部
４  信号合成部
５  一定値を減算する減算器
６  一定値を乗算する乗算器
７  マルチプレクサ
８  レベル検出部
【図１】
0004488620.tif 000002
【図２】
0004488620.tif 000003
【図３】
0004488620.tif 000004
【図４】
0004488620.tif 000005
【図５】
0004488620.tif 000006
【図６】
0004488620.tif 000007
【図７】
0004488620.tif 000008
【図８】
0004488620.tif 000009
【図９】
0004488620.tif 000010